(57)【要約】【課題】簡単かつ迅速に開閉することができるとともに耐久性に優れた物品出納部を備える物品包装具を提供する。【解決手段】物品包装具１０は、自動車用バンパーを収納可能な袋状の本体部１１を備えている。本体部１１は、表側シート体１２および内側シート体１３における一方の端部１１ａを他方の端部１１ｂ側の上方に重なるように折り畳んで形成した物品出納部１６と、同折り畳んだ表側シート体１２および内側シート体１３の内側に物品出納部１６と連通した物品収納部１７とを有している。この物品出納部１６における一方の端部１１ａには、同一方の端部１１ａから突出した状態で面ファスナ１８の一方の係合片１８ａが環状に設けられている。また、面ファスナ１８の係合片１８ａに対して同係合片１８ａの突出方向側に離れた位置における物品出納部１６の端部１１ｂ側の表面には、係合片１８ａよりも長く形成された係合片１８ｂが設けられている。【選択図】  図１
2011057282.tif 000002
【特許請求の範囲】
【請求項１】
重ね合わせたシート体によって平らな袋状に形成された本体部に、
前記重ね合わせたシート体の間に物品を収納する物品収納部と、
前記物品収納部と連通した状態で、前記シート体における互いに対向する一方の端部と他方の端部とを突き合わせて、または同一方の端部を同他方の端部側に重ねて形成される物品出納部とを有した物品包装具であって、
前記物品出納部における前記一方の端部に、互いに着脱自在に接合する２つの係合片からなる一対の面ファスナにおける一方の係合片を前記一方の端部から突出した状態で設け、
前記物品出納部における前記他方の端部側表面に、前記一対の面ファスナにおける他方の係合片を設けたことを特徴とする物品包装具。
【請求項２】
請求項１に記載した物品包装具において、
前記物品収納部に収納される前記物品は、自動車部品であることを特徴とする物品包装具。
【請求項３】
請求項１または請求項２に記載した物品包装具において、
前記一対の面ファスナは、前記物品出納部に沿って断続的に設けられていることを特徴とする物品包装具。
【請求項４】
請求項１ないし請求項３のうちのいずれか１つに記載した物品包装具において、
前記一対の面ファスナにおける前記一方の係合片は、前記物品出納部における前記一方の端部の表裏面を挟んだ状態で設けられることを特徴とする物品包装具。
【請求項５】
請求項１ないし請求項４のうちのいずれか１つに記載した物品包装具において、
前記一対の面ファスナにおける前記他方の係合片は、前記一方の係合片に対して同一方の係合片が突出する方向側に離れた位置に設けられることを特徴とする物品包装具。
【請求項６】
請求項１ないし請求項５のうちのいずれか１つに記載した物品包装具において、
前記一対の面ファスナにおける前記２つの係合片のうちの少なくとも一方は、前記一方の係合片が突出する方向に沿って延びて形成されていることを特徴とする物品包装具。
【請求項７】
請求項１ないし請求項６のうちのいずれか１つに記載した物品包装具において、
前記物品出納部は、前記シート体における互いに対向する前記一方の端部を前記他方の端部側の上側に重ねて形成されており、
前記一対の面ファスナにおける前記他方の係合片は、前記一方の係合片における接合面より柔軟な接合面によって構成されていることを特徴とする物品包装具。
【請求項８】
請求項１ないし請求項７のうちのいずれか１つに記載した物品包装具において、
複数の前記物品包装具が、互いに異なる色の前記一対の面ファスナによって色ごとに構成されることを特徴とする物品包装具。
【発明の詳細な説明】
【技術分野】
【０００１】
本発明は、物品、例えば、自動車の車体の前後に取り付けられるバンパーなどを包装する物品包装具に関する。
【背景技術】
【０００２】
従来から、物品、例えば、自動車の車体の前後に取り付けられるバンパーなどの運搬や一時的な保管のために物品包装具が用いられている。一般に、このような物品包装具は、包装対象となる物品の形状に合わせた箱状または袋状に形成されている。これらのうち、袋状に形成された物品包装具は、箱状の物品包装具に比べて、軽量かつ柔軟性を有して嵩張らないため取り扱いや保管が容易であるという有利な特徴を持っている。
【０００３】
例えば、下記特許文献１および下記特許文献２には、方形状のシート体の両端部をシート体の中央部に向ってそれぞれ折り畳むことによりシート体の内側に物品を収納するための物品収納部が形成された物品包装具がそれぞれ開示されている。これらの物品包装具においては、物品収納部内に物品を出し入れするための物品出納部が、前記折り畳まれたシート体の両端部における一方の端部が他方の端部側表面に重なるように形成されており、結束紐または面ファスナによって開閉自在に構成されている。
【先行技術文献】
【特許文献】
【０００４】
【特許文献１】実用新案登録第３１４３３３５号公報
【特許文献２】特開２００９−１４９３３０号公報
【０００５】
しかしながら、上記特許文献１に示された物品包装具においては、物品収納部内に物品を出し入れするための物品出納部が複数の結束紐による固縛によって閉じられるため、物品出納部の開閉作業が極めて煩雑であるという問題がある。また、上記特許文献２に示された物品包装具においては、面ファスナを分離して物品出納部を開くには物品出納部の一方の端部を上方に引き上げなければならないため、物品出納部の一方の端部を上方に引き上げた際にこの一方の端部から面ファスナが剥がれることがある。このため、上記特許文献２に示された物品包装具においては、物品出納部を開く作業を慎重に行なわなければならず同作業が極めて煩雑であるとともに物品出納部の耐久性も低いという問題があった。
【発明の概要】
【０００６】
本発明は上記問題に対処するためなされたもので、その目的は、簡単かつ迅速に開閉することができるとともに耐久性に優れた物品出納部を備える物品包装具を提供することにある。
【０００７】
上記目的を達成するため、請求項１に係る本発明の特徴は、重ね合わせたシート体によって平らな袋状に形成された本体部に、重ね合わせたシート体の間に物品を収納する物品収納部と、物品収納部と連通した状態で、シート体における互いに対向する一方の端部と他方の端部とを突き合わせて、または同一方の端部を同他方の端部側に重ねて形成される物品出納部とを有した物品包装具であって、物品出納部における前記一方の端部に、互いに着脱自在に接合する２つの係合片からなる一対の面ファスナにおける一方の係合片を前記一方の端部から突出した状態で設け、物品出納部における前記他方の端部側表面に、一対の面ファスナにおける他方の係合片を設けたことにある。
【０００８】
このように構成した請求項１に係る発明の特徴によれば、物品包装具は、シート体の端部同士を突き合わせて、または一方の端部を他方の端部側に重ねて形成された物品出納部における一方の端部に、同一方の端部から突出した状態で面ファスナの一方の係合片が設けられている。これにより、物品出納部における一方の端部から突出した面ファスナの一方の係合片が把持し易くなるため、物品包装具における物品出納部の開閉作業を容易かつ迅速に行なうことができる。特に、物品出納部を開く作業においては、作業者は、物品出納部の一方の端部から突出した係合片を把持して上方に引き上げるだけで物品出納部を開くことができる。この場合、係合片を把持して物品出納部の一方の端部を引き上げるため、同一方の端部から係合片が剥がれ難い。これにより、物品出納部の耐久性が向上する。
【０００９】
また、請求項２に係る本発明の他の特徴は、前記物品包装具において、前記物品包装具において、物品収納部に収納される物品は、自動車部品であることにある。
【００１０】
このように構成した請求項２に係る本発明の他の特徴によれば、物品包装具は自動車部品、例えば、自動車の車体の前後に取り付けられるバンパーなどを容易かつ迅速に収納することができる。
【００１１】
また、請求項３に係る本発明の他の特徴は、前記物品包装具において、一対の面ファスナは、物品出納部に沿って断続的に設けられていることにある。
【００１２】
このように構成した請求項３に係る本発明の他の特徴によれば、面ファスナが物品出納部に沿って断続的に設けられている。このため、面ファスナを物品出納部に沿って連続的に設けた場合に比べて、物品出納部を容易かつ迅速に開閉することができるとともに、面ファスナを経済的に設けることもできる。
【００１３】
また、請求項４に係る本発明の他の特徴は、前記物品包装具において、一対の面ファスナにおける前記一方の係合片は、物品出納部における前記一方の端部の表裏面を挟んだ状態で設けられることにある。
【００１４】
このように構成した請求項４に係る本発明の他の特徴によれば、面ファスナにおける一方の係合片が、物品出納部における一方の端部の表裏面を挟んだ状態で設けられる。これにより、一方の係合片が物品出納部における一方の端部に強固に固着されるため、物品出納部の耐久性をより向上させることができる。また、この場合、一対の面ファスナにおける一方の係合片を、物品出納部における一方の端部の表裏面を挟んで環状に設けるとよい。これによれば、環状に形成された一方の係合片に指を挿し入れて一方の係合片を把持することができ、物品出納部をより容易かつ迅速に開くことができる。
【００１５】
また、請求項５に係る本発明の他の特徴は、前記物品包装具において、一対の面ファスナにおける前記他方の係合片は、前記一方の係合片に対して同一方の係合片が突出する方向側に離れた位置に設けられることにある。
【００１６】
このように構成した請求項５に係る本発明の他の特徴によれば、面ファスナにおける他方の係合片が、一方の係合片に対して同一方の係合片が突出する方向側に隙間を介した離れた位置に設けられている。このため、面ファスナにおける一方の係合片と他方の係合片とを互いに接合するためには、少なくとも一方の係合片または他方の係合片を対抗する係合片に引き寄せて接合しなければならない。これにより、物品包装具内に収納した物品を隙間なく強固に包装することができる。また、面ファスナにおける一方の係合片と他方の係合片とを分離した状態においては、同一方の係合片と同他方の係合片が離れているため、物品収納部内に物品を出し入れする際に物品出納部における一方の端部と他方の端部とが接合することがない。これにより、物品収納部内への物品の出し入れ作業が行い易くなり作業性が向上する。
【００１７】
また、請求項６に係る本発明の他の特徴は、前記物品包装具において、一対の面ファスナにおける２つの係合片のうちの少なくとも一方は、前記一方の係合片が突出する方向に沿って延びて形成されていることにある。
【００１８】
このように構成した請求項６に係る本発明の他の特徴によれば、面ファスナにおける２つの係合片のうちの少なくとも一方が、同一方の係合片が突出する方向に沿って延びて形成されている。これにより、面ファスナにおける２つの係合片を互いに接合する位置を調整することができるため、１つの物品包装具が収納できる物品の大きさや形状の自由度が広がるとともに、物品収納部に収納した物品の締まり具合も物品の性状に合わせて調整することができる。すなわち、物品包装具における収納可能な物品の種類が増えて汎用性が向上する。
【００１９】
また、請求項７に係る本発明の他の特徴は、前記物品包装具において、物品出納部は、シート体における互いに対向する前記一方の端部を前記他方の端部側の上側に重ねて形成されており、一対の面ファスナにおける前記他方の係合片は、前記一方の係合片における接合面より柔軟な接合面によって構成されていることにある。
【００２０】
このように構成した請求項７に係る本発明の他の特徴によれば、物品出納部における一方の端部の下側に位置する他方の端部側に設けられる面ファスナの他方の係合片は、一方の係合片の接合面より柔軟な接合面によって構成されている。これにより、収納対象物を傷つけることなく物品収納部内に収納することができる。
【００２１】
また、請求項８に係る本発明の他の特徴は、前記物品包装具において、複数の物品包装具が、互いに異なる色の前記一対の面ファスナによって色ごとに構成されることを特徴とする物品包装具。
【００２２】
このように構成した請求項８に係る本発明の他の特徴によれば、物品包装具は互いに異なる色の面ファスナによって色ごとに構成される。このため、各色ごとの物品包装具を用いる者は、面ファスナの色によって物品包装具を使い分けることにより、物品包装具や物品包装具内に収納した物品を特定することができる。例えば、物品包装具の製造時期、製造場所、素材または性能などの物品包装具に関する情報を面ファスナの色によって表すことにより、容易にこれらの情報を認識することができる。また、例えば、物品包装具内に収納する物品の製造時期、製造場所、素材、形状、色、用途または性能などの収納対象物に関する情報を面ファスナの色によって表すことにより、これらの情報を物品包装具を開封することなく容易に認識することができる。特に、物品包装具は、一般に、不透明または半透明の素材で構成されているため、物品包装具を開封することなく収納対象物に関する情報を認識できることは有意義である。
【図面の簡単な説明】
【００２３】
【図１】本発明に係る物品包装具の全体構成を概略的を示す平面図である。
【図２】図１に示す物品包装具をＡ−Ａ線から見た断面図である。
【図３】図１に示す物品包装具をＢ−Ｂ線から見た断面拡大図である。
【図４】図３に示す物品包装具における物品出納部を閉じた状態を示す断面拡大図である。
【図５】本発明の変形例に係る物品包装具における断面拡大図である。
【図６】本発明の他の変形例に係る物品包装具における断面拡大図である。
【発明を実施するための形態】
【００２４】
（物品包装具１０の構成）
以下、本発明に係る物品包装具の一実施形態について図面を参照しながら説明する。図１は、本発明に係る物品包装具１０の全体構成を概略的に示す平面図である。また、図２は、図１に示す物品包装具１０におけるＡ−Ａ線から見た物品包装具１０の断面図である。また、図３は、図１に示す物品包装具１０におけるＢ−Ｂ線から見た物品包装具１０の拡大断面図である。なお、本明細書において参照する各図は、本発明の理解を容易にするために一部の構成要素を誇張して表わすなど模式的に表している。このため、各図面間および各構成要素間の寸法や比率などは異なっていることがある。この物品包装具１０は、図示しない物品を保管または運搬するために、同物品を一時的に収納するための物品収納用のケースである。本実施形態においては、物品包装具１０内に収納される収納対象物として、自動車の車体の前後に取り付けられるバンパーを想定している。
【００２５】
物品包装具１０は、本体部１１を備えている。本体部１１は、収納対象物を包装可能な形状および大きさに形成された平らな袋体であり、重ね合わせた２枚のシート体、具体的には、表側シート体１２と内側シート体１３とによって構成されている。本実施形態においては、図１における平面視において図示左右方向に延びる縦５８０ｍｍ、横２１５０ｍｍの長方形状に形成されている。
【００２６】
表側シート体１２は、本体部１１の表側を構成する半透明のシート状の部品であり、ニ軸延伸ポリプロピレン（ＯＰＰ）製の気泡緩衝材によって構成されている。この場合、気泡緩衝材とは、ポリプロピレンやポリエチレンなどの樹脂製の膜の間に多くの気泡を挟んでシート状に形成した一般的な緩衝材である。本実施形態においては、表側シート体１２は、約２.５ｍｍの厚さで形成されている。一方、内側シート体１３は、本体部１１の内側を構成する半透明のシート状の部品であり、ポリエチレン（ＰＥ）製の気泡緩衝材シートの表面に高発泡ポリエチレンシートを貼り合わせて構成されている。この場合、高発泡ポリエチレンシートは、ポリエチレンシート基材に高発泡率で無数の独立気泡を形成したシート体であり、緩衝材、保温材または断熱材として一般的に用いられているものである。本実施形態においては、内側シート体１２は、約３.０ｍｍの厚さで形成されている。
【００２７】
この本体部１１は、重ね合わせた表側シート体１２および内側シート体１３における互いに対向する端部１１ａ側と端部１１ｂ側とをそれぞれ縫合糸１４でそれぞれ縫合した後、端部１１ｂ上に端部１１ａ側が重なるように互いに折り曲げられるとともに、折り曲げられた表側シート体１２および内側シート体１３における図示左右方向の両端部分を縫合糸１５で縫合することにより形成されている。これにより、本体部１１における一方の表面中央部において端部１１ｂ上に端部１１ａ側が重なった状態で物品出納部１６が形成されるとともに、本体部１１の内側に本体部１１の外形状に沿った長方形状の物品収納部１７が形成される。
【００２８】
縫合糸１４，１５は、重ね合わせた表側シート体１２および内側シート体１３の端部１１ａおよび端部１１ｂと、本体部１１における図示左右方向の両端部とをそれぞれ縫合する樹脂製の糸である。本実施形態においては、線径が約０.３ｍｍのポリエチレン製の糸を縫合糸１４，１５として用いている。これらの縫合糸１４，１５うち、縫合糸１４は、１本の糸で構成されている。一方、縫合糸１５は、本体部１１における一方の表面（図２および図３において上側の表面）に露出する上糸１５ａと、本体部１１における他方の表面（図２および図３において下側の表面）に露出する下糸１５ｂとによって構成されている。この縫合糸１５を構成する上糸１５ａおよび下糸１５ｂは、所謂本縫いによって本体部１１の両端部を縫合している。
【００２９】
物品出納部１６は、本体部１１の内側に形成された物品収納部１７内に収納対象物を出し入れするための開閉可能な開口部であり、本体部１１の端部１１ａと同端部１１ａの下方にて対向する本体部１１の表面（端部１１ｂ側の表面）によって構成されている。すなわち、物品出納部１６は、物品収納部１７に連通した状態で本体部１１の長手方向に沿って形成されている。物品収納部１７は、収納対象物を収納する部分であり、内側シート体１３における高発泡ポリエチレンシートで囲まれて形成されている。
【００３０】
物品出納部１６を構成する端部１１ａと同端部１１ａの下方にて対向する本体部１１の表面（端部１１ｂ側の表面）とには、互いに着脱自在に接合する２つの係合片１８ａ，１８ｂからなる一対の面ファスナ１８が設けられている。この面ファスナ１８は、物品出納部１６を開閉可能な状態で閉じるための留め具であり、物品出納部１６に沿って略等間隔に配置されている。本実施形態においては、物品出納部１６に沿って白色の５つの面ファスナ１８が設けられている。
【００３１】
面ファスナ１８を構成する一方の係合片１８ａは、その表面に鉤状の突起物が多数形成されており、物品出納部１６を構成する端部１１ａの表裏面を挟んで２つ折りされて、換言すればＵ字状に形成されて同端部１１ａから突出して設けられている。本実施形態においては、係合片１８ａは、全長が約４０ｍｍで形成されており、このうち約２０ｍｍが本体部１１の端部１１ａから突出している。
【００３２】
一方、面ファスナ１８を構成する他方の係合片１８ｂは、その表面にパイル状の突起物が多数形成されて構成されている。すなわち、係合片１８ｂの表面は、係合片１８ａの表面より柔軟に形成されている。また、この係合片１８ｂは、係合片１８ａに対して同係合片１８ａの突出方向側に離れた位置の端部１１ｂ側の表面に同係合片１８ａよりも長く形成されている。本実施形態においては、係合片１８ａと係合片１８ｂとは、約３０ｍｍの隙間を介して設けられている。また、本実施形態においては、係合片１８ｂは約８０ｍｍの長さで形成されている。
【００３３】
ここで、物品包装具１０の製造方法を簡単に説明しておく。まず、作業者は、長方形状の表側シート体１２および内側シート体１３をそれぞれ１枚ずつ用意する。次に作業者は、表側シート体１２と内側シート体１３とを重ね合わせて短辺側である端部１１ａおよび端部１１ｂをそれぞれ縫合糸１４によって縫合して一体化する。この場合、作業者は、内側シート体１３における高発泡ポリエチレンシート側が外側になるように表側シート体１２と内側シート体１３とを重ねる。
【００３４】
次に、作業者は、重ね合わせた表側シート体１２および内側シート体１３を、端部１１ｂ上に端部１１ａ側が重なるように互いに折り曲げた後、折り曲げた表側シート体１２および内側シート体１３における元々の長端部分を縫合糸１５によってそれぞれ縫合する。これにより、本体部１１における一方の表面中央部において端部１１ｂ上に端部１１ａ側が重なった状態で物品出納部１６が形成されるとともに、本体部１１の内側に本体部１１の外形状に沿った長方形状の物品収納部１７が形成される。
【００３５】
そして、作業者は、物品出納部１６を構成する端部１１ａに、Ｕ字状に折り曲げた面ファスナ１８の一方の係合片１８ａの両端部を挟んで同両端部の内側に設けられた粘着テープで固定する。また、作業者は、係合片１８ａに対して同係合片１８ａの突出方向側に離れた位置の端部１１ｂ側の本体部１１の表面上に面ファスナ１８の他方の係合片１８ｂを粘着テープにより固定する。これらにより、物品包装具１０が完成する。
【００３６】
（物品包装具１０の作動）
次に、上記のように構成した物品包装具１０の作動について説明する。まず、物品包装具１０内に収納対象物を収納する作業者は、物品包装具１０およびこの物品包装具１０内に収納する収納対象物（本実施形態においては自動車用バンパー）を用意する。次に、作業者は、物品出納部１６に設けられた面ファスナ１８の係合片１８ａと係合片１８ｂとが分離した状態であることを確認した後、物品出納部１６を開口して物品収納部１７内に収納対象物を収納する。
【００３７】
具体的には、作業者は、物品出納部１６を構成する端部１１ａと端部１１ｂとを互いに反対方向に押し広げて物品出納部１６を開口しながら物品収納部１７内に収納対象物を収納する。この場合、面ファスナ１８における係合片１８ａと係合片１８ｂとが離れて設けられているため、物品収納部１７内に収納対象物を収納する作業中に係合片１８ａと係合片１８ｂとが貼り付いて収納作業の妨げとなることがなく、円滑に収納対象物を物品収納部１７内に収納することができる。また、物品出納部１６における端部１１ａおよび端部１１ｂのうち、下側に配置された端部１１ｂ側に柔軟な接合面からなる係合部１８ｂが設けられているため、収納対象物を傷つけることなく物品収納部１７内に収納することができる。
【００３８】
次に、作業者は、物品出納部１６を構成する端部１１ａと端部１１ｂとを互いに寄せて物品出納部１６の開口状態を元の閉じた状態に戻して物品収納部１７内に収納した収納対象物を覆った後、面ファスナ１８における係合片１８ａを係合片１８ｂ側に引っ張って同係合片１８ａを係合片１８ｂに貼り付ける。この場合、作業者は、環状に形成された係合片１８ａに指を通して係合片１８ａを容易かつ確実に把持して係合片１８ｂ側に引き寄せることができるため、簡単かつ迅速に収納対象物を物品収納部１７内にて隙間無く密着させた状態で強固に包装することができる。また、この場合、係合片１８ｂは、係合片１８ａよりも長く形成されているため、係合片１８ｂ上における係合片１８ａの留め位置を自由に調節することができ、物品収納部１７内における収納対象物の縛り具合を自由に調節することができる。なお、図４には、物品収納部１７内に収納対象物を収納しない状態における面ファスナ１８の係合片１８ａを係合片１８ｂに接合した物品包装具１０を示している。
【００３９】
これにより、収納対象物は、物品包装具１０内から漏出しない状態で収納されて保管または輸送可能な状態となる。なお、この場合、物品収納部１７の内壁面が内側シート体１３における高発泡ポリエチレンシートで構成されているため、物品収納部１７内に収納された収納対象物に傷や貼り付き跡などを付けることなく保管または輸送を行なうことができる。
【００４０】
次に、物品包装具１０から収納対象物を取り出す際には、作業者は、物品出納部１６に設けられた面ファスナ１８にける係合片１８ａと係合片１８ｂとを互いに分離することにより物品出納部１６を開口する。この場合においても、作業者は、環状に形成された係合片１８ａを把持して係合片１８ｂから引き剥がすことができるため、物品出納部１６の端部１１ａから係合片１８ａが剥がれることを防止しつつ簡単かつ迅速に係合片１８ａと係合片１８ｂとを互いに分離することができる。そして、作業者は、物品出納部１６を開口させながら、この物品出納部１６を介して物品収納部１７内に収納された収納対象物を取り出す。
【００４１】
この場合においても、面ファスナ１８における係合片１８ａと係合片１８ｂとが離れて設けられているため、物品収納部１７内から収納対象物を取り出す作業中に係合片１８ａと係合片１８ｂとが貼り付いて取り出し作業の妨げとなることがなく、円滑に収納対象物を物品収納部１７内にから取り出すことができる。また、物品出納部１６の端部１１ｂ側に柔軟な接合面からなる係合片１８ｂが設けられているため、収納対象物を傷つけることなく物品収納部１７内から取り出すことができる。そして、収納対象物が取り出された物品包装具１０は、再度、物品包装具１０として利用することができる。
【００４２】
このような物品収納部１７に対する収納対象物の出し入れ作業においては、係合片１８ａが物品出納部１６の端部１１ａの表裏面を挟んだ状態で設けられているため、係合片１８ａと端部１１ａとが強固に固着されており容易に破損することがない。また、面ファスナ１８が、物品出納部１６に沿って断続的に設けられているため、面ファスナ１８を物品出納部１６に沿って連続的に設けた場合に比べて、物品出納部１６を容易かつ迅速に開閉することができるとともに、面ファスナ１８を経済的に設けることもできる。
【００４３】
上記作動説明からも理解できるように、上記実施形態によれば、物品包装具１０は、表側シート体１２および内側シート体１３における一方の端部１１ａを他方の端部１１ｂ側の上方に重ねて形成した物品出納部１６における一方の端部１１ａに、同一方の端部１１ａから突出した状態で面ファスナ１８の一方の係合片１８ａが設けられている。これにより、物品出納部１６における一方の端部１１ａから突出した面ファスナの一方の係合片１８ａが把持し易くなるため、物品包装具１０における物品出納部１６の開閉作業を容易かつ迅速に行なうことができる。特に、物品出納部１０を開く作業においては、作業者は、物品出納部１６の一方の端部１１ａから突出した係合片１８ａを把持して上方に引き上げるだけで物品出納部１６を開くことができる。この場合、係合片１８ａを把持して物品出納部１６の一方の端部１１ａを引き上げるため、同一方の端部１１ａから係合片１８ａが剥がれ難い。これにより、物品出納部１６、延いては物品包装具１０の耐久性が向上する。
【００４４】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４５】
例えば、物品包装具１０の大きさ、形状および素材は、物品包装具１０内に収納させる収納対象物、物品包装具１０の使用環境および物品包装具１０に求められる仕様などに応じて適宜決定されるものであり、上記実施形態に限定されるものではない。例えば、表側シート体１２をポリプロピレンに代えてポリエチレンなどの他の樹脂で構成してもよい。また、表側シート体１２、内側シート体１３を樹脂材に代えてコート紙などの紙材によって構成してもよい。これらによっても、上記実施形態と同様の効果が期待できる。
【００４６】
また、上記実施形態においては、本体部１１を表側シート体１２および内側シート材１３の２枚のシート体で構成した。しかし、本体部１１は、重ね合わせたシート体の間に収納対象物を収納可能な物品収納部１７と、同物品収納部１７内に収納対象物を出し入れするための物品出納部１６とを形成できれば、必ずしも２枚のシート体で構成される必要はない。すなわち、１枚のシート体または３枚以上のシート体の集合体で本体部１１を構成してもよいことは当然である。これらによっても、上記実施形態と同様の効果が期待できる。
【００４７】
また、上記実施形態においては、物品出納部１６における一方の端部１１ａに設けた面ファスナ１８の一方の係合片１８ａを環状に形成するとともに、物品出納部１６の端部１１ａの表裏面を挟んで固定した。しかし、係合片１８ａは、物品出納部１６における一方の端部１１ａに突出した状態で設けられていれば、上記実施形態に限定されるものではない。例えば、図５に示すように、物品出納部１６の端部１１ａの内側面に板状の係合片１８ａを粘着テープなどで貼り付けて構成することもできる。
【００４８】
また、上記実施形態においては、面ファスナ１８の係合片１８ａに接合する係合片１８ｂを係合片１８ａが突出する方向側に離して設けるとともに、同係合片１８ａの長さよりも長く形成した。しかし、係合片１８ｂは、係合片１８ａに着脱自在に接合して物品出納部１６を開閉することができれば、上記実施形態に限定されるものではない。例えば、図６に示すように、係合片１８ｂを物品出納部１６の端部１１ａに設けられた係合片１８ａの下方に対向する物品出納部１６の端部１１ｂ側の表面位置に係合片１８ａと略同じ長さで設けることもできる。
【００４９】
また、上記実施形態においては、物品出納部１６を構成する端部１１ａと端部１１ｂのうち、下側に配置される端部１１ｂ側にパイル状の突起物からなる接合面、すなわち、柔軟な接合面が形成された係合片１８ｂを設けた。しかし、鉤状の突起物からなる接合面、すなわち、係合片１８ｂより堅硬な接合面が形成された係合片１８ａを物品出納部１６の端部１１ｂ側に設けることもできる。ただし、面ファスナ１８の係合片１８ａ，１８ｂは、収納対象物を物品収納部１７に出し入れする際に収納対象物に接する可能性が高いため、柔軟な素材で構成されることが望ましい。
【００５０】
また、上記実施形態においては、面ファスナ１８を本体部１１に形成された物品出納部１６に沿って略均等な配置で５箇所に設けた。しかし、面ファスナ１８は、物品出納部１６を開閉することができれば、上記実施形態に限定されるものではない。すなわち、面ファスナ１８を物品出納部１６に沿って１箇所以上５箇所未満、または６箇所以上設けるようにしてもよい。この場合、面ファスナ１８を物品出納部１６に沿った全域に、換言すれば連続的に設けることもできる。これによれば、より強固かつ密閉して物品出納部１６を閉じることができる。
【００５１】
また、上記実施形態においては、縫合糸１５は、上糸１５ａと下糸１５ｂとで構成した。しかし、縫合糸１５は、本体部１１を縫合できればよいため、必ずしも２本の糸で構成する必要はない。すなわち、縫合糸１５は、縫合糸１４と同様に、１本の糸で構成することもできる。したがって、表側シート体１２および内側シート体１３を縫合する縫い方も所謂本縫い以外の縫い方、例えば、所謂環縫いなどの縫い方を用いることができる。これらによっても、上記実施形態と同様の効果が期待できる。
【００５２】
また、上記実施形態においては、縫合糸２１は、上糸２１ａと下糸２１ｂとで互いに異なる色で構成した。しかし、縫合糸２１は、本体部１１、より具体的には、表側シート体１２の表面の色とは異なる色で構成されていればよく、互いに異なる色で構成する必要はない。すなわち、上糸２１ａと下糸２１ｂとを同じ色で構成することもできる。これによれば、本体部１１を縫合する縫合糸２１の種類が１種類となるため、物品包装具１０の製造時における縫合糸２１の管理負担が軽減される。
【００５３】
また、上記実施形態においては、物品包装具１０内に収納する収納対象物を自動車の車体の前後に取り付けられるバンパーとした。しかし、収納対象物は、自動車用バンパー以外の物品であってもよいことは当然である。
【００５４】
また、上記実施形態においては、１つの物品包装具１０の使用について説明したが、当然、物品包装具１０を複数製作して用いることができる。この場合、物品包装具１０を面ファスナ１８の色（例えば、黒色、黄色、赤色など）ごとに製作するようにするとよい。これによれば、各色ごとの物品包装具１０を用いる者は、面ファスナ１８の色によって物品包装具１０を使い分けることにより、物品包装具１０や物品包装具１０内に収納した収納対象物を特定することができる。例えば、物品包装具１０の製造時期、製造場所、素材または性能などの物品包装具１０に関する情報を面ファスナ１８の色によって表すことにより、容易にこれらの情報を認識することができる。また、例えば、物品包装具１０内に収納する収納対象物の製造時期、製造場所、素材、形状、色、用途または性能などの収納対象物に関する情報を面ファスナ１８の色によって表すことにより、これらの情報を物品包装具１０を開封することなく容易に認識することができる。特に、物品包装具１０は、半透明の素材で構成されているため、物品包装具１０を開封することなく収納対象物に関する情報を認識できることは有意義である。
【符号の説明】
【００５５】
１０…物品包装具、１１…本体部、１１ａ…端部、１１ｂ…端部、１２…表側シート体、１３…内側シート体、１４，１５…縫合糸、１６…物品出納部、１７…物品収納部、１８…面ファスナ、１８ａ，１８ｂ…係合片。
【図１】
2011057282.tif 000003
【図２】
2011057282.tif 000004
【図３】
2011057282.tif 000005
【図４】
2011057282.tif 000006
【図５】
2011057282.tif 000007
【図６】
2011057282.tif 000008